(57)【要約】      （修正有）【課題】監視対象機器と監視装置とを接続する通信ネットワークに障害が発生した場合でも、該監視対象機器の稼働状況を把握する手段を提供する。【解決手段】監視対象機器と監視装置とを接続する通信ネットワークとは別に、各監視対象機器の稼働状態情報を取得するために撮影手段１３０を用いたネットワークを設け、撮影した画像から稼動状態を把握する。【選択図】図１
2014182532.tif 000002
【特許請求の範囲】
【請求項１】
監視対象機器の稼働状態を監視し、該稼働状態を示す稼働状態情報を作成する稼働状態検出手段と、
前記稼働状態情報を予め定められた変換規則に従って対応するコードに変換し、該コードを表示する第１の稼働状態表示手段と、
前記第１の稼働状態表示手段に表示された前記コードの画像を撮影する稼働状態取得手段と、
前記コードの画像を、変換する前の前記稼働状態情報に復元し、復元した該稼働状態情報を表示する第２の稼働状態表示手段と
から構成されたことを特徴とする監視システム。
【請求項２】
監視対象機器の稼働状態を監視し、該稼働状態を示す稼働状態情報を作成する稼働状態検出手段と、
前記稼働情報検出手段が作成した前記稼働状態情報を表示する第１の稼働状態表示手段と、
前記第１の稼働状態表示手段に表示された前記稼働状態情報を撮影する稼働状態取得手段と、
前記稼働状態取得手段が撮影した前記稼働状態情報の画像を表示する第２の稼働状態表示手段と
から構成されたことを特徴とする監視システム。
【請求項３】
前記稼働状態取得手段は、
撮影した前記稼働状態情報の画像を解析し、該稼働状態情報を前記第２の稼働状態表示手段に文字表示できる文字コードに変換し、
前記第２の稼働状態表示手段は、
前記稼働状態取得手段により変換された文字コードに基づいて前記稼働状態情報を表示する
ことを特徴とする請求項２記載の監視システム。
【請求項４】
前記稼働状態情報は、
監視対象機器を識別する機器識別データと、該監視対象機器の稼働状態を示す稼働状態データとからなる
ことを特徴とする請求項１乃至３のいずれかに記載の監視システム。
【請求項５】
前記稼働状態情報は、
複数の前記監視対象機器を搭載する搭載装置内の各該監視対象機器を搭載する位置を識別する位置識別データと、該監視対象機器の稼働状態を示す稼働状態データとからなる
ことを特徴とする請求項１乃至４のいずれかに記載の監視システム。
【請求項６】
監視対象機器の稼働状態を監視し、該稼働状態を示す稼働状態情報を作成する稼働状態検出ステップと、
前記稼働状態情報を予め定められた変換規則に従って対応するコードに変換し、該コードを第１の稼働状態表示手段に表示する第１の稼働状態表示ステップと、
前記第１の稼働状態表示手段に表示された前記コードの画像を撮影する稼働状態取得ステップと、
前記コードの画像を、変換する前の前記稼働状態情報に復元し、復元した該稼働状態情報を第２の稼働状態表示手段に表示する第２の稼働状態表示ステップと
を含むことを特徴とする監視方法。
【請求項７】
監視対象機器の稼働状態を監視し、該稼働状態を示す稼働状態情報を作成する稼働状態検出ステップと、
前記稼働状態検出ステップで作成した前記稼働状態情報を第１の稼働状態表示手段に表示する第１の稼働状態表示ステップと、
前記第１の稼働状態表示手段に表示された前記稼働状態情報を撮影する稼働状態取得ステップと、
前記稼働状態取得ステップで撮影した前記稼働状態情報の画像を第２の稼働状態表示手段に表示する第２の稼働状態表示ステップと
を含むことを特徴とする監視方法。
【請求項８】
前記稼働状態取得ステップにおいて、
撮影した前記稼働状態情報の画像を解析し、該稼働状態情報を前記第２の稼働状態表示手段に文字表示できる文字コードに変換し、
前記第２の稼働状態表示ステップにおいて、
前記稼働状態取得ステップで変換された文字コードに基づいて前記稼働状態情報を表示する
ことを特徴とする請求項７記載の監視方法。
【請求項９】
前記稼働状態情報は、
監視対象機器を識別する機器識別データと、該監視対象機器の稼働状態を示す稼働状態データとからなる
ことを特徴とする請求項６乃至８のいずれかに記載の監視方法。
【請求項１０】
前記稼働状態情報は、
複数の前記監視対象機器を搭載する搭載装置内の各該監視対象機器を搭載する位置を識別する位置識別データと、該監視対象機器の稼働状態を示す稼働状態データとからなる
ことを特徴とする請求項６乃至９のいずれかに記載の監視方法。
【発明の詳細な説明】
【技術分野】
【０００１】
本発明は、監視システムおよび監視方法に関し、特に、監視対象機器の稼働状態を取得するために撮影手段を用いる監視システムおよび監視方法に関する。
【背景技術】
【０００２】
特許文献１には、複数のサーバの運用状態に関する運用状態情報が通信ネットワークを介して監視装置に送られ、該監視装置に設けられた表示装置が各該サーバから送られてきた該運用状態情報を表示する技術について記載されている。
【０００３】
また、特許文献２には、テレビ会議の参加者が、話中時に点灯するランプを有するマイクを装着し、会議の様子を撮影するカメラの映像を解析することにより、該ランプの点灯を検出し、該ランプの点灯を検出した場合に、点灯した該ランプの方向にカメラを向ける技術が記載されている。
【０００４】
さらに、特許文献３には、電気機器の稼働状況により発行色が定められている発光体が発光した光を蓋部に当てて該蓋部を光らせ、離れた位置からでも該電気機器の稼働状況を把握することができる技術について記載されている。
【先行技術文献】
【特許文献】
【０００５】
【特許文献１】特開平１１−１７５１８０号広報
【特許文献２】特開平０９−３０７８７０号広報
【特許文献３】特開２００７−０２５５８０号広報
【発明の概要】
【発明が解決しようとする課題】
【０００６】
しかしながら、特許文献１記載の技術には、各サーバと監視装置とを接続する通信ネットワークに障害が発生した場合、上記運用状態情報の送信が行えなくなるため、各該サーバの稼働状況が把握できないという問題点がある。
【０００７】
また、特許文献２には、被監視装置の運用状態を監視する技術については何ら記載されていない。
【０００８】
さらに、特許文献３には、目視できる距離以上離れた場所に設置されている電気機器の稼働状況を把握することができないという問題点がある。
【０００９】
本発明の目的は、上述した問題点を解決できる監視システムおよび監視方法を提供することにある。
【課題を解決するための手段】
【００１０】
本発明の監視システムは、
監視対象機器の稼働状態を監視し、該稼働状態を示す稼働状態情報を作成する稼働状態検出手段と、
前記稼働状態情報を予め定められた変換規則に従って対応するコードに変換し、該コードを表示する第１の稼働状態表示手段と、
前記第１の稼働状態表示手段に表示された前記コードの画像を撮影する稼働状態取得手段と、
前記コードの画像を、変換する前の前記稼働状態情報に復元し、復元した該稼働状態情報を表示する第２の稼働状態表示手段と
を備える。
【００１１】
さらに、本発明の他の監視システムは、
監視対象機器の稼働状態を監視し、該稼働状態を示す稼働状態情報を作成する稼働状態検出手段と、
前記稼働情報検出手段が作成した前記稼働状態情報を表示する第１の稼働状態表示手段と、
前記第１の稼働状態表示手段に表示された前記稼働状態情報を撮影する稼働状態取得手段と、
前記稼働状態取得手段が撮影した前記稼働状態情報の画像を表示する第２の稼働状態表示手段と
を備える。
【００１２】
また、本発明の監視方法は、
監視対象機器の稼働状態を監視し、該稼働状態を示す稼働状態情報を作成する稼働状態検出ステップと、
前記稼働状態情報を予め定められた変換規則に従って対応するコードに変換し、該コードを第１の稼働状態表示手段に表示する第１の稼働状態表示ステップと、
前記第１の稼働状態表示手段に表示された前記コードの画像を撮影する稼働状態取得ステップと、
前記コードの画像を、変換する前の前記稼働状態情報に復元し、復元した該稼働状態情報を第２の稼働状態表示手段に表示する第２の稼働状態表示ステップと
を含む。
【００１３】
さらに、本発明の他の監視方法は、
監視対象機器の稼働状態を監視し、該稼働状態を示す稼働状態情報を作成する稼働状態検出ステップと、
前記稼働状態検出ステップで作成した前記稼働状態情報を第１の稼働状態表示手段に表示する第１の稼働状態表示ステップと、
前記第１の稼働状態表示手段に表示された前記稼働状態情報を撮影する稼働状態取得ステップと、
前記稼働状態取得ステップで撮影した前記稼働状態情報の画像を第２の稼働状態表示手段に表示する第２の稼働状態表示ステップと
を含む。
【発明の効果】
【００１４】
本発明は、監視対象機器を搭載したラックと監視装置との間の通信ネットワークに何らかの障害が発生しても、該監視対象機器の稼働状態を知ることができるという効果がある。
【図面の簡単な説明】
【００１５】
【図１】図１は、本発明の実施形態を示すブロック図である。
【図２】図２は、本発明の実施形態における各部の構成を示すブロック図である。
【図３】図３は、本発明の実施形態における稼働状態表示情報の一例を示す図である。
【発明を実施するための形態】
【００１６】
次に、本発明の実施形態について図面を参照して詳細に説明する。
【００１７】
図１は本発明の実施形態を示すブロック図である。
【００１８】
図１を参照すると、本実施形態は、管理装置１００と、少なくとも１つのラック２００と、ラック２００に搭載された少なくとも１つの電子機器１１０と、ラック２００の上部または側部に搭載された状態一覧表示装置１２０と、監視カメラ１３０と、管理ネットワーク１４０とから構成される。
【００１９】
図２は本実施形態における各部の構成を示すブロック図である。
【００２０】
状態一覧表示装置１２０は、状態判定部１２１と表示部１２２とを備え、ラック２００の上部または側部に設けられている。
【００２１】
状態判定部１２１は、自身が設けられたラック２００に搭載された各電子機器１１０の稼働状態を示す稼働状態情報を状態検出部１１２から取得し、取得した各該稼働状態情報を予め定めた変換規則に従って対応する二次元コードに変換し、該稼働状態情報と該コードとを稼働状態表示情報として出力する。
【００２２】
表示部１２２は、ディスプレイ等の出力回路を備え、状態判定部１２１が出力した上記稼働状態表示情報を表示する。
【００２３】
監視カメラ１３０は、管理装置１００に接続され、各ラック２００に設けられた表示装置１２０の表示部１２２を撮影し、撮影した表示部１２２の画像を管理装置１００に送付する。
【００２４】
管理装置１００は、表示部１０１と、状態取得部１０２と、画像情報解析部１０３と、画像情報取得部１０４とを備える。
【００２５】
状態取得部１０２は、各ラック２００内の状態検出部１１２が取得した上記稼働状態情報を、ネットワーク１４０を介して状態検出部１１２から受け取り、表示部１０１に送付する。
【００２６】
画像情報取得部１０４は、監視カメラ１３０が撮影した各表示部１２２の画像をカメラ１３０から取得する。
【００２７】
画像情報解析部１０３は、上記画像を取得部１０４から取得して解析し、該画像に含まれる二次元コードを、人間が理解できる文字等からなる上記稼働状態情報に復元し、表示部１０１に送付する。
【００２８】
表示部１０１は、ディスプレイ等の出力回路を備え、状態取得部１０２から受け取った上記稼働状態情報および画像情報解析部１０３から受け取った上記稼働状態情報を表示する。
【００２９】
ここで、電子機器１１０は、例えば、サーバ、ディスク装置またはネットワーク装置であり、監視対象回路群１１１と、状態検出部１１２とを備える。
【００３０】
監視対象回路群１１１は、電源回路やＣＰＵ等の少なくとも一つの電子回路からなる。
【００３１】
状態検出部１１２は、上記監視対象回路群１１１内の各監視対象回路の稼働状態を監視し、該稼働状態を示す上記稼働状態情報を、管理ネットワーク１４０を経由して管理装置１００の状態取得部１０２に送付するとともに、状態一覧表示装置１２０の状態判定部１２１にも送付する。
【００３２】
図３は、状態一覧表示装置１２０の表示部１２２に表示される上記稼働状態表示情報の一例を示す。
【００３３】
図３を参照すると、稼働状態表示情報は、各電子機器１１０を識別する機器識別データと、各該電子機器１１０の稼働状態を示す稼働状態データ（例えば、機器１１０が正常の場合は「ＮＯＲＭＡＬ」、機器１１０内の監視対象回路群１１１内のいずれかが異常の場合は「ＥＲＲＯＲ」、機器１１０に電源が入っていない場合は「ＯＦＦ」、機器１１０内のＣＰＵの「使用率」など。）と、上記機器識別データおよび上記稼働状態データからなる上記稼働状態情報と該稼働状態情報を予め定めた変換規則に従って変換した二次元コードとから構成される。
【００３４】
なお、上記稼働状態表示情報の上記機器識別データは、電子機器１１０を識別するデータではなく、少なくとも一つの電子機器１１０を搭載するラック２００内の各電子機器１１０を搭載する位置を識別するデータであってもよい。
【００３５】
図３からは、
「機器１」という識別番号を有する電子機器は、正常（ＮＯＲＭＡＬ）に動作中で、ＣＰＵ使用率は１０％であり、
「機器２」という識別番号を有する電子機器は、正常（ＮＯＲＭＡＬ）に動作中で、ＣＰＵ使用率は５０％であり、
「機器３」という識別番号を有する電子機器は、当該機器内の監視対象回路群内のいずれかの回路に異常（ＥＲＲＯＲ）があり、ＣＰＵ使用率は測定不可（「−−」と表示。）であり、
「機器４」という識別番号を有する電子機器は、電源が入っていない状態（ＯＦＦ）で、ＣＰＵ使用率は測定不可（「−−」）であり、
「機器５」という識別番号を有する電子機器は、当該機器内の監視対象回路群内のいずれかの回路に異常（「ＥＲＲＯＲ」と表示。）があり、ＣＰＵ使用率は測定不可（「−−」）であり、
「装置６」乃至「装置１０」という識別番号を有する電子機器はいずれのラック２００にも搭載されていない（稼働状態情報が示されていないため。）ことが判る。
【００３６】
なお、図３では、稼働状態表示情報として、機器の動作状態が正常であるか否かやＣＰＵ使用率のみを示しているが、これらのみに限られるものではなく、メモリ使用率など、他の稼働状態を示すものを含めてもよい。
【００３７】
次に、本実施形態の動作について詳細に説明する。
【００３８】
まず、電子機器１１０の状態検出部１１２は、上記監視対象回路群１１１内の各監視対象回路の稼働状態を監視し、該稼働状態を示す上記稼働状態情報を、管理ネットワーク１４０を経由して管理装置１００の状態取得部１０２に送付するとともに、状態一覧表示装置１２０の状態判定部１２１にも送付する。
【００３９】
次に、状態一覧表示装置１２０の状態判定部１２１は、自身が設けられたラック２００に搭載された各電子機器１１０の稼働状態を示す稼働状態情報を状態検出部１１２から取得し、取得した各該稼働状態情報を予め定めた変換規則に従って対応する二次元コードに変換し、該稼働状態情報と該コードとを稼働状態表示情報として出力する。
【００４０】
次に、監視カメラ１３０は、各ラック２００に設けられた表示装置１２０の表示部１２２を撮影し、撮影した表示部１２２の画像を管理装置１００に送付する。
【００４１】
管理装置１００の画像情報取得部１０４は、監視カメラ１３０が撮影した各表示部１２２の画像をカメラ１３０から取得する。そして、画像情報解析部１０３が、該画像を取得部１０４から取得して解析し、該画像に含まれる二次元コードを、人間が理解できる文字等からなる上記稼働状態情報に復元し、表示部１０１に送付する。
【００４２】
管理装置１００の表示部１０１は、通常は、ネットワーク１４０を介して受け取った上記稼働状態情報を利用者に表示するが、このとき、ネットワーク１４０等に何らかの障害が発生し該稼働状態情報が取得できなかった場合、画像情報解析部１０３から受け取った稼働状態情報を表示する。
【００４３】
なお、本実施形態では、人間が理解できる文字等からなる上記稼働状態情報を二次元コードに変換しているが、二次元コードに変換せず、カメラ１３０で撮影した該稼働状態情報の画像をそのまま表示部１０１に表示してもよいし、または、当該画像を文字認識技術により表示部１０１に文字表示できる文字コードに変換して表示部１０１に表示するようにしてもよい。
【００４４】
また、管理ネットワーク１４０は、稼働状態情報の送信のみ使用されるものではなく、複数の電子機器１１０間での通常のデータ授受にも使用される。
【００４５】
以上、説明したように、本実施形態には、ラック２００と管理装置１００との間の管理ネットワーク１４０に何らかの障害が発生しても、ラック２００に搭載されている電子機器１１０の稼働状態を知ることができるという効果がある。
【００４６】
その理由は、管理ネットワーク１４０とは別に、各電子機器の稼働状態を取得するカメラを用いたネットワークを設けたからである。
【符号の説明】
【００４７】
１００    管理装置
１０１    表示部
１０２    状態取得部
１０３    画像情報解析部
１０４    画像情報取得部
１１０    電子機器
１１１    監視対象回路群
１１２    状態検出部
１２０    状態一覧表示装置
１２１    状態判定部
１２２    表示部
１３０    監視カメラ
１４０    管理ネットワーク
２００    ラック
【図１】
2014182532.tif 000003
【図２】
2014182532.tif 000004
【図３】
2014182532.tif 000005